【事件の表示】
　商願２００９−　　３６７９拒絶査定不服審判事件について、次のとおり審決する。
【結　論】
　本件審判の請求は、成り立たない。
【理　由】
１　本願商標
　本願商標は、別掲に表示するとおりの構成よりなり、第１４類「貴金属，キーホルダー，宝石箱，身飾品，貴金属製靴飾り，時計」及び第２５類「被服，ガーター，靴下止め，ズボンつり，バンド，ベルト，履物，仮装用衣服，運動用特殊衣服，運動用特殊靴」を指定商品として、平成２１年１月２２日に登録出願されたものである。
　
２　引用商標　  
　原査定において、本願商標が商標法第４条第１項第１１号に該当するとして、本願の拒絶の理由に引用した登録商標は、以下の（１）ないし（２１）のとおりであり、それぞれ、現に有効に存続している。 
（１）登録第５４０６７３号商標（以下「引用商標１」という。）は、「ＬＯＶＥ」の欧文字及び「ラブ」の片仮名文字を上下二段に横書きしてなり、昭和３３年４月１０日登録出願、第７類「他類に属しない金属製品」を指定商品として、同３４年８月２１日に設定登録され、その後、４回にわたり商標権の存続期間の更新登録がされ、その指定商品については、商標登録の取消し審判により、指定商品中「金属製家具、金属製ベンチ、スライドファスナー、金属製のバッジ、メダル、指輪、バックル及びこれらに類似する商品」について取り消すべき旨の審決がされ、平成１９年７月６日にその確定の登録がされ、さらに、指定商品中「金属製の洗面用具入れ，金属製灰皿，金属製たばこケース」について取り消すべき旨の審決がされ、同２１年７月２４日にその確定の登録がされたものである。
（２）登録第５９９６６４号の２商標（以下「引用商標２」という。）は、「ＬＯＶＥ」の欧文字及び「ラブ」の片仮名文字を上下二段に横書きしてなり、昭和３４年１１月４日登録出願、第３６類「衣服及帯芯類、帽子類、肌衣類、手巾類」を指定商品として、同３７年１０月２４日に設定登録され、その後、３回にわたり商標権の存続期間の更新登録がされ、その指定商品については、平成１６年８月１１日に第２４類「布製身の回り品」及び第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，ヘルメット，帽子，運動用特殊衣服，マラソン足袋，地下足袋」とする指定商品の書換登録がされたものである。 
（３）登録第８７１５８９号商標（以下「引用商標３」という。）は、「ラブ」の片仮名文字を横書きしてなり、昭和４３年１２月２０日登録出願、第１３類「手動利器、手動工具（但し、ブラシ類を除く）金具（他の類に属するものを除く）」を指定商品として、同４５年９月２日に設定登録され、その後、４回にわたり商標権の存続期間の更新登録がされ、その指定商品については、平成２２年６月２３日に第３類「研磨紙，研磨布，研磨用砂，人造軽石，つや出し紙，つや出し布」、第６類「かな床，はちの巣，金属製金具」、第８類「手動利器（「刀剣」を除く。），刀剣，手動工具（「すみつぼ類・皮砥・鋼砥・砥石」を除く。），すみつぼ類，皮砥，鋼砥，砥石」、第１１類「水道蛇口用座金，水道蛇口用ワッシャー」、第１４類「キーホルダー」、第１７類「ゴム製又はバルカンファイバー製の座金及びワッシャー」、第１８類「かばん金具，がま口口金，蹄鉄」、第２０類「カーテン金具，金属代用のプラスチック製締め金具，くぎ・くさび・ナット・ねじくぎ・びょう・ボルト・リベット及びキャスター（金属製のものを除く。），座金及びワッシャー（金属製・ゴム製又はバルカンファイバー製のものを除く。），錠（電気式又は金属製のものを除く。）」、第２１類「魚ぐし」及び第２６類「針類，被服用はとめ」とする指定商品の書換登録がされたものである。
（４）登録第１４１８４３１号商標（以下「引用商標４」という。）は、「ＬＯＶＥ」の欧文字を横書きしてなり、昭和４２年６月２３日登録出願、第２４類「おもちや、人形、運動具、釣り具、これらの部品及び附属品」を指定商品として、同５５年５月３０日に設定登録され、その後、３回にわたり商標権の存続期間の更新登録がされ、その指定商品については、平成２２年４月２８日に第６類「アイゼン，カラビナ，金属製飛び込み台，ハーケン，拍車」、第８類「水中ナイフ，水中ナイフ保持具，ピッケル」、第９類「家庭用テレビゲームおもちゃ，携帯用液晶画面ゲームおもちゃ用のプログラムを記憶させた電子回路及びＣＤ−ＲＯＭ，ウエイトベルト，浮袋，運動用保護ヘルメット，エアタンク，水泳用浮き板，レギュレーター」、第１８類「乗馬用具」、第１９類「飛び込み台（金属製のものを除く。）」、第２０類「揺りかご，幼児用歩行器，マネキン人形，洋服飾り型類，スリーピングバッグ」、第２１類「コッフェル」、第２２類「ザイル，登山用又はキャンプ用のテント」、第２５類「仮装用衣服，運動用特殊衣服，運動用特殊靴（「乗馬靴」を除く。），乗馬靴」、第２７類「体操用マット」、第２８類「おもちゃ，人形，運動用具，釣り具」及び第３１類「釣り用餌」とする指定商品の書換登録がされたものである。
（５）登録第１６２７１２８号商標（以下「引用商標５」という。）は、「ＬＯＶＥ」の欧文字を横書きしてなり、昭和５３年８月１１日登録出願、第１３類「手動利器、手動工具（但し、ブラシ類を除く）金具（他の類に属するものを除く）」を指定商品として、同５８年１０月２７日に設定登録され、その後、２回にわたり商標権の存続期間の更新登録がされ、その指定商品については、平成１６年９月２９日に第３類「研磨紙，研磨布，研磨用砂，人造軽石，つや出し紙，つや出し布」、第６類「かな床，はちの巣，金属製金具」、第８類「手動利器（「刀剣」を除く。），刀剣，手動工具（「すみつぼ類・皮砥・鋼砥・砥石」を除く。），すみつぼ類，皮砥，鋼砥，砥石」、第１１類「水道蛇口用座金，水道蛇口用ワッシャー」、第１４類「キーホルダー」、第１７類「ゴム製又はバルカンファイバー製の座金及びワッシャー，蹄鉄（金属製のものを除く。）」、第１８類「かばん金具，がま口口金」、第２０類「カーテン金具，金属代用のプラスチック製締め金具，くぎ・くさび・ナット・ねじくぎ・びょう・ボルト・リベット及びキャスター（金属製のものを除く。），座金及びワッシャー（金属製・ゴム製又はバルカンファイバー製のものを除く。），錠（電気式又は金属製のものを除く。）」、第２１類「魚ぐし」及び第２６類「針類，被服用はとめ」とする指定商品の書換登録がされたものである。
（６）登録第２１４５１２４号商標（以下「引用商標６」という。）は、「ＬＯＶＥ」の欧文字を横書きしてなり、昭和６２年１月１２日登録出願、第１７類「被服（運動用特殊被服を除く）布製身回品（他の類に属するものを除く）寝具類（寝台を除く）」を指定商品として、平成元年６月２３日に設定登録され、その後、２回にわたり商標権の存続期間の更新登録がされ、その指定商品については、同２１年７月８日に第２０類「クッション，座布団，まくら，マットレス」、第２２類「衣服綿，ハンモック，布団袋，布団綿」、第２４類「布製身の回り品，かや，敷布，布団，布団カバー，布団側，まくらカバー，毛布」及び第２５類「被服」とする指定商品の書換登録がされたものである。
（７）登録第４０８８４１２号商標（以下「引用商標７」という。）は、「ＬＯＶＥ」の欧文字及び「ラブ」の片仮名文字を上下二段に横書きしてなり、平成８年７月４日登録出願、第１８類「原革・原皮・なめし皮，毛皮，かばん類・袋物，携帯用化粧道具入れ，かばん金具・がま口口金，傘，ステッキ・つえ・つえ金具・つえの柄，乗馬用具，愛玩動物用被服類」を指定商品として、同９年１２月５日に設定登録され、その後、同１９年６月２６日に商標権の存続期間の更新登録がされ、その指定商品については、商標登録の取消し審判により、指定商品中「かばん類、袋物」について取り消すべき旨の審決がされ、同２１年７月２４日にその確定の登録がされたものである。
（８）登録第４０８８４１３号商標（以下「引用商標８」という。）は、「ＬＯＶＥ」の欧文字及び「ラブ」の片仮名文字を上下二段に横書きしてなり、平成８年７月４日登録出願、第２２類「綿繊維，麻繊維，絹繊維，毛繊維，織物用化学繊維，織物用無機繊維（石綿を除く。），網類（金属製又は石綿製のものを除く。），布製包装用容器，わら製包装用容器，ザイル・登山用又はキャンプ用のテント，靴用ろう引き縫糸」を指定商品として、同９年１２月５日に設定登録され、その後、同１９年６月２６日に商標権の存続期間の更新登録がされたものである。
（９）登録第４０８８４１６号商標（以下「引用商標９」という。）は、「ＬＯＶＥ」の欧文字及び「ラブ」の片仮名文字を上下二段に横書きしてなり、平成８年７月４日登録出願、第２５類「ガーター・靴下止め・ズボンつり・バンド・ベルト，靴合わせくぎ・靴くぎ・靴の引き手・靴びょう・靴保護金具，運動用特殊衣服・運動用特殊靴（「乗馬靴」を除く。）」を指定商品として、同９年１２月５日に設定登録され、その後、同１９年６月２６日に商標権の存続期間の更新登録がされたものである。
（１０）登録第４０８８４１７号商標（以下「引用商標１０」という。）は、「ＬＯＶＥ」の欧文字及び「ラブ」の片仮名文字を上下二段に横書きしてなり、平成８年７月４日登録出願、第２６類「編みレース生地・刺しゅうレース生地，テープ・リボン，房類，ボタン類，針類，編み棒・裁縫箱・裁縫用へら・裁縫用指抜き・針刺し・針箱（貴金属製のものを除く。），被服用はとめ，衣服用き章（貴金属製のものを除く。）・衣服用バッジ（貴金属製のものを除く。）・衣服用バックル・衣服用ブローチ・帯留め・ボンネットピン（貴金属製のものを除く。）・ワッペン・腕章，腕止め，頭飾品，つけあごひげ・つけ口ひげ・ヘアカーラー（電気式のものを除く。），靴飾り（貴金属製のものを除く。）・靴はとめ・靴ひも・靴ひも代用金具，造花（「造花の花輪」を除く。），造花の花輪，漁網製作用杼」を指定商品として、同９年１２月５日に設定登録され、その指定商品については、商標登録の取消し審判により、指定商品中「ボタン類，衣服用き章（貴金属製のものを除く）・衣服用バッジ（貴金属製のものを除く）・衣服用バックル・衣服用ブローチ・帯留め・ボンネットピン（貴金属製のものを除く）・ワッペン・腕章」について取り消すべき旨の審決がされ、同１８年７月１８日にその確定の登録がされ、その後、同１９年６月２６日に商標権の存続期間の更新登録がされたものである。
（１１）登録第４１２０２６１号商標（以下「引用商標１１」という。）は、「ＬＯＶＥ」の欧文字及び「ラブ」の片仮名文字を上下二段に横書きしてなり、平成８年７月４日登録出願、第８類「手動工具（「すみつぼ類・皮砥・鋼砥・砥石」を除く。），皮砥・鋼砥・砥石，手動利器（「刀剣」を除く。），くわ・鋤・レーキ（手持ち工具に当たるものに限る。），組ひも機（手持ち工具に当たるものに限る。），靴製造用靴型（手持ち工具に当たるものに限る。），ひげそり用具入れ・ペディキュアセット・マニキュアセット，かつお節削り器・角砂糖挟み・缶切り・くるみ割り器（貴金属製のものを除く。）・スプーン・フォーク，アイロン（電気式のものを除く。）・糸通し器・チャコ削り器，水中ナイフ・水中ナイフ保持具・ピッケル，殺虫剤用噴霧器（手持ち工具に当たるものに限る。）」を指定商品として、同１０年３月６日に設定登録され、その後、同１９年１０月９日に商標権の存続期間の更新登録がされたものである。
（１２）登録第４１４３６８３号商標（以下「引用商標１２」という。）は、「ＬＯＶＥ」の欧文字及び「ラブ」の片仮名文字を上下二段に横書きしてなり、平成８年７月４日登録出願、第９類「理化学機械器具，測定機械器具，加工ガラス（建築用のものを除く。），救命用具，オゾン発生器・電解槽，遊園地用機械器具，乗物の故障の警告用の三角標識・発光式又は機械式の道路標識，鉄道用信号機，火災報知機・盗難警報器，消火器・消火栓・消火ホース用ノズル，保安用ヘルメット，ガソリンステーション用装置，自動販売機，駐車場用硬貨作動式ゲート，金銭登録機・硬貨の計数用又は選別用の機械・作業記録機・写真複写機・手動計算機・製図用又は図案用の機械器具・タイムスタンプ・タイムレコーダ・電気計算機・パンチカードシステム機械・票数計算機・ビリングマシン・郵便切手のはり付けチェック装置，ウエイトベルト・ウェットスーツ・浮き袋・エアタンク・水泳用浮き板・レギュレーター，潜水用機械器具，アーク溶接機・金属溶断機・電気溶接装置，犬笛，家庭用テレビゲームおもちゃ，検卵器，電動式扉自動開閉装置」を指定商品として、同１０年５月８日に設定登録され、その後、同１９年１２月１１日に商標権の存続期間の更新登録がされたものである。
（１３）登録第４１５２２４４号商標（以下「引用商標１３」という。）は、「ＬＯＶＥ」の欧文字及び「ラブ」の片仮名文字を上下二段に横書きしてなり、平成８年７月４日登録出願、第２８類「おもちゃ、人形，運動用具，スキーワックス，釣り具」を指定商品として、同１０年６月５日に設定登録され、その後、同２０年１月８日に商標権の存続期間の更新登録がされたものである。
（１４）登録第４１７５８７８号商標（以下「引用商標１４」という。）は、「ＬＯＶＥ」の欧文字及び「ラブ」の片仮名文字を上下二段に横書きしてなり、平成８年７月４日登録出願、第２０類「家具，液体貯蔵槽・工業用水槽，液化ガス貯蔵槽・ガス貯蔵槽，プラスチック製バルブ（機械要素に当たるものを除く。），カーテン金具・金属代用のプラスチック製締め金具・くぎ・くさび・ナット・ねじくぎ・びょう・ボルト・リベット及びキャスター（金属製のものを除く。）・座金及びワッシャー（金属製・ゴム製又はバルカンファイバー製のものを除く。）・錠（電気式又は金属製のものを除く。），竹製の包装用容器，プラスチック製きょう木・プラスチック製包装用葉，葬祭用具，荷役用パレット（金属製のものを除く。），養蜂用巣箱，愛玩動物用ベッド・犬小屋・小鳥用巣箱，うちわ・せんす，買物かご，額縁，家庭用水槽（金属製又は石製のものを除く。），きゃたつ及びはしご（金属製のものを除く。），工具箱（金属製のものを除く。），ししゅう用枠，植物の茎支持具，ストロー・盆（金属製のものを除く。）・洗濯挟み，スリーピングバッグ，タオル用ディスペンサー（金属製のものを除く。），つい立て・びょうぶ，ネームプレート及び標札（金属製のものを除く。），旗ざお，ハンガーボード，ベンチ，帽子掛けかぎ（金属製のものを除く。），マネキン人形・洋服飾り型類，木製又はプラスチック製の立て看板，郵便受け（金属製又は石製のものを除く。），揺りかご，理髪用いす，きば・人工角・ぞうげ・角・歯・べっこう・骨，木製の包装用容器（「コルク製栓・木製栓・木製ふた」を除く。）」を指定商品として、同１０年８月７日に設定登録され、その指定商品については、商標登録の取消し審判により、指定商品中「家具，つい立て，びょうぶ，ベンチ」について取り消すべき旨の審決がされ、同１９年７月６日にその確定の登録がされ、その後、同２０年３月４日に商標権の存続期間の更新登録がされたものである。
（１５）登録第４２５４４５７号商標（以下「引用商標１５」という。）は、「ＬＯＶＥ」の欧文字及び「ラブ」の片仮名文字を上下二段に横書きしてなり、平成８年７月４日登録出願、第１９類「陶磁製建築専用材料・れんが及び耐火物，合成建築専用材料，アスファルト製の建築用又は構築用の専用材料，ゴム製の建築用又は構築用の専用材料，しっくい，石灰製の建築用又は構築用の専用材料，石こう製の建築用又は構築用の専用材料，繊維製の落石防止網，建造物組立てセット（金属製のものを除く。），セメント及びその製品，木材，石材，建築用ガラス，建具（金属製のものを除く。），人工魚礁（金属製のものを除く。），吹付け塗装用ブース（金属製のものを除く。），養鶏用かご（金属製のものを除く。），区画表示帯，土砂崩壊防止用植生板，窓口風防通話板，航路標識（金属製又は発光式のものを除く。），道路標識（金属製又は発光式のものを除く。），石製液体貯蔵槽，石製工業用水槽，石製家庭用水槽，送水管用バルブ（金属製又はプラスチック製のものを除く。），石製郵便受け，飛び込み台（金属製のものを除く。），墓標及び墓碑用銘板（金属製のものを除く。）」を指定商品として、同１１年３月２６日に設定登録され、その指定商品については、商標登録の取消し審判により、指定商品中「建具（金属製のものを除く）」について取り消すべき旨の審決がされ、同１９年７月６日にその確定の登録がされ、その後、同２０年１０月２８日に商標権の存続期間の更新登録がされたものである。
（１６）登録第４２９４０４５号商標（以下「引用商標１６」という。）は、「ＬＯＶＥ」の欧文字及び「ラブ」の片仮名文字を上下二段に横書きしてなり、平成８年７月４日登録出願、第１１類「ちょうちん，あんどん，ガスランプ，石油ランプ，ほや，業務用陶磁器焼成窯，その他の工業用炉・原子炉，家庭用電気式陶磁器焼成窯，火鉢類，ボイラー，ガス湯沸かし器，加熱器，調理台，流し台，冷凍機械器具，アイスボックス，氷冷蔵庫，飼料乾燥装置，牛乳殺菌機，乾燥装置，換熱機，蒸煮装置，蒸発装置，蒸留装置，熱交換器，暖冷房装置，浴槽類，家庭用浄水器，水道蛇口用座金，水道蛇口用ワッシャー，水道用栓，タンク用水位制御弁，パイプライン用栓，汚水浄化槽，し尿処理槽，家庭用汚水処理槽，家庭用し尿処理槽，業務用ごみ焼却炉，家庭用ごみ焼却炉，洗浄機能付き便座，洗面所用消毒剤ディスペンサー，便器，和式便器用椅子，あんか，かいろ，かいろ灰，湯たんぽ，化学物質を充てんした保温保冷具」を指定商品として、同１１年７月１６日に設定登録され、その指定商品については、商標登録の取消し審判により、指定商品中「火鉢類」について取り消すべき旨の審決がされ、同１９年７月６日にその確定の登録がされ、その後、同２１年３月３日に商標権の存続期間の更新登録がされたものである。
（１７）登録第４３２６６３５号商標（以下「引用商標１７」という。）は、「ＬＯＶＥ」の欧文字及び「ラブ」の片仮名文字を上下二段に横書きしてなり、平成８年７月４日登録出願、第２１類「ガラス基礎製品（建築用のものを除く。），なべ類，コーヒー沸かし（電気式又は貴金属製のものを除く。），鉄瓶，やかん，食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜き，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，携帯用アイスボックス，米びつ，食品保存用ガラス瓶，水筒，魔法瓶，化粧用具（「電気式歯ブラシ」を除く。），洋服ブラシ，靴ブラシ，靴べら，靴磨き布，軽便靴クリーナー，シューツリー，ガラス製包装用容器（「ガラス製栓・ガラス製ふた」を除く。），陶磁製包装用容器，かいばおけ，家禽用リング，アイロン台，霧吹き，こて台，へら台，愛玩動物用食器，愛玩動物用ブラシ，犬のおしゃぶり，小鳥かご，小鳥用水盤，植木鉢，家庭園芸用の水耕式植物栽培器，じょうろ，家庭用燃え殻ふるい，石炭入れ，紙タオル取り出し用金属製箱，靴脱ぎ器，せっけん用ディスペンサー，寝室用簡易便器，トイレットペーパーホルダー，貯金箱（金属製のものを除く。），ねずみ取り器，はえたたき，湯かき棒，浴室用腰掛け，浴室用手おけ，ろうそく消し及びろうそく立て（貴金属製のものを除く。），花瓶及び水盤（貴金属製のものを除く。），風鈴，香炉，コッフェル」を指定商品として、同１１年１０月２２日に設定登録され、その後、同２１年６月２３日に商標権の存続期間の更新登録がされ、その指定商品については、商標登録の取消し審判により、指定商品中「化粧用具（「電気式歯ブラシ」を除く。）」について取り消すべき旨の審決がされ、同年７月２４日にその確定の登録がされたものである。
（１８）登録第４４３５８０９号商標（以下「引用商標１８」という。）は、「ＬＯＶＥ」の欧文字及び「ラブ」の片仮名文字を上下二段に横書きしてなり、平成１１年１１月１５日登録出願、第２５類「履物（但し、「靴合わせくぎ，靴くぎ，靴の引き手，靴びょう，靴保護金具」を除く。）」を指定商品として、同１２年１１月２４日に設定登録されたものである。
（１９）登録第４４７６８８１号商標（以下「引用商標１９」という。）は、「ＬＯＶＥ」の欧文字及び「ラブ」の片仮名文字を上下二段に横書きしてなり、平成８年７月４日登録出願、第１７類「ゴム，糸ゴム及び被覆ゴム糸（織物用のものを除く。），化学繊維糸（織物用のものを除く。），化学繊維（織物用のものを除く。），ゴム製又はバルカンファイバー製の座金及びワッシャー，蹄鉄（金属製のものを除く。），ゴム製又はバルカンファイバー製のバルブ（機械要素に当たるものを除く。），ゴム製包装用容器，石綿網，石綿糸，石綿織物，石綿製フェルト，オイルフェンス，ガスケット，管継ぎ手（金属製のものを除く。），パッキング，消防用ホース，石綿製防火幕」を指定商品として、同１３年５月２５日に設定登録されたものである。
（２０）登録第４５１７７０８号商標（以下「引用商標２０」という。）は、「ＬＯＶＥ」の欧文字及び「ラブ」の片仮名文字を上下二段に横書きしてなり、平成８年７月４日登録出願、第６類「非鉄金属及びその合金，建築用又は構築用の金属製専用材料，金属製建具，金庫，金属製金具，金属製建造物組立てセット，液体貯蔵槽，工業用水槽，液化ガス貯蔵槽，ガス貯蔵槽，ガス貯蔵槽又は液化ガス貯蔵槽用のアルミニュウム製の浮中ぶた，滑車，ばね，バルブ，金属製包装用容器（「金属製栓・金属製ふた」を除く。），金属製荷役用パレット，荷役用ターンテーブル，荷役用トラバーサー，金属製人工魚礁，金属製の吹付け塗装用ブース，金属製養鶏用かご，金属製航路標識（発光式のものを除く。），金属製道路標識（発光式又は機械式のものを除く。），てんてつ機，金属製管継ぎ手，金属製フランジ，キー，コッタ，かな床，金属製締め付け金具，はちの巣，金網，ワイヤロープ，犬用鎖，金属製家庭用水槽，金属製工具箱，金属製のきゃたつ及びはしご，金属製のタオル用ディスペンサー，金属製帽子掛けかぎ，金属製郵便受け，金属製立て看板，金属製彫刻，金属製の墓標及び墓碑用銘板，金属製のバックル，つえ用金属製石突き，アイゼン，カラビナ，ハーケン，金属製飛び込み台，金属製あぶみ，拍車」を指定商品として、同１３年１０月２６日に設定登録され、その指定商品については、商標登録の取消し審判により、指定商品中「金属製のバックル」について取り消すべき旨の審決がされ、同１８年６月２６日にその確定の登録がされたものである。
（２１）登録第４６１６６１０号商標（以下「引用商標２１」という。）は、「ラブ」の片仮名文字及び「ＬＯＶＥ」の欧文字を上下二段に横書きしてなり、平成１４年２月８日登録出願、第２４類「布製身の回り品，かや，敷布，布団，布団カバー，布団側，まくらカバー，毛布」及び第２５類「被服」を指定商品として、同年１０月２５日に設定登録されたものである。
　以下、これらをまとめて「引用商標」という。
　
３　当審の判断  
（１）本願商標と引用商標との類否について 
　本願商標は、別掲に表示するとおり、上段には、大きく太字でデザイン化された「ＬＯＶＥ」の欧文字を横書きしたものを時計方向に９０度回転させ、その下に、非常に小さく「ｂｙ」の欧文字を横書きし、その下に、筆記体風の文字で各文字を縦に並べた「ｓａｌｏｎ」の欧文字を縦方向に並べ、下段には、「ラブ・バイ・サロン」の片仮名文字及び中黒（・）を配した構成よりなるものである。
　そして、上段の「ＬＯＶＥ」、「ｂｙ」、「ｓａｌｏｎ」の各文字部分は、文字の大きさに顕著な差異を有し、かつ、文字種、書体、その向き等を異にし、視覚的に分離して看取されるばかりでなく、「ｓａｌｏｎ」の文字部分は通常横書きにされる欧文字を縦に並べるという特異な態様であり一見して欧文字の「ｓａｌｏｎ」であるとは看取し得ないものあって、しかも、その構成全体をもって特定の称呼・観念を生ずる等、これらが常に一体不可分のものとしてのみ把握されるとする特段の事情は見いだし得ないものである。
　そうすると、本願商標は、その構成中、上段の「ＬＯＶＥ」の文字部分が上部に配置され、文字の大きさも他の文字部分に比べてはるかに大きいことに照らすと、本願商標に接する取引者、需要者が「ＬＯＶＥ」の文字部分のみに着目し、当該文字部分から生じる称呼及び観念をもって取引に資する場合も決して少なくないというべきである。
　そうとすれば、本願商標は、その構成中、下段の「ラブ・バイ・サロン」の文字部分に相応して、「ラブバイサロン」の称呼が生ずるほか、その構成中、上段の「愛、愛情」等（株式会社小学館　ランダムハウス英和大辞典　第２版＜特装版＞）の意味を有する「ＬＯＶＥ」の文字部分に相応して、単に「ラブ」の称呼及び「愛、愛情」の観念を生ずるものというのが相当である。
　他方、引用商標１、２、７ないし２１は、「ＬＯＶＥ」の欧文字と「愛、愛情」等（株式会社三省堂　コンサイスカタカナ語辞典　第３版）の意味を有する「ラブ」の片仮名文字よりなるものであり、引用商標３は、「ラブ」の片仮名文字よりなるものであり、引用商標４ないし６は、「ＬＯＶＥ」の欧文字よりなるものであるから、引用商標は、それぞれの構成文字に相応して「ラブ」の称呼及び「愛、愛情」の観念を生ずるものである。
　そこで、本願商標と引用商標とを比較すると、両者は、「ラブ」の称呼及び「愛、愛情」の観念を共通にするものであり、また、外観についても、本願商標の要部である「ＬＯＶＥ」の文字と引用商標１、２、４ないし２１の「ＬＯＶＥ」の文字とは、その綴り字を共通にするものである。
　してみれば、本願商標と引用商標とは、その称呼及び観念において共通し、また、外観についても引用商標１、２、４ないし２１とは、「ＬＯＶＥ」の文字を共通にし、外観上近似するものであるから、互いに類似する商標というべきである。そして、本願商標の指定商品は、引用商標の指定商品と同一又は類似するものである。
（２）請求人の主張について
　請求人は、本願商標の構成中、上段は、「ＬＯＶＥ」、「ｂｙ」、「Ｓａｌｏｎ」の各文字を縦軸方向に続けて表示してなり、しかも、「ＬＯＶＥ」、「Ｓａｌｏｎ」の各文字は「〔動作主を示して〕・・・による」の意味合いを有する「ｂｙ」の英語を介して表示されていることから、各文字の字体・向き・大きさは異なるものであっても、全体としては「ＬＯＶＥ」、「ｂｙ」、「Ｓａｌｏｎ」の各文字を一連に表示したものであると認識することができる旨主張する。
　しかしながら、本願商標の構成中、上段の「ＬＯＶＥ」、「ｂｙ」、「ｓａｌｏｎ」の各文字部分は、文字の大きさに顕著な差異を有し、かつ、文字種、書体、その向き等を異にし、視覚的に分離して看取されるばかりでなく、「ｓａｌｏｎ」の文字部分は通常横書きにされる欧文字を縦に並べるという特異な態様であり一見して欧文字の「ｓａｌｏｎ」であるとは看取し得ないものであるから、例え、「〔動作主を示して〕・・・による」の意味合いを有する「ｂｙ」の文字が配されていたとしても、これらが常に全体として、「ＬＯＶＥ」、「ｂｙ」、「Ｓａｌｏｎ」の各文字を一体不可分のものとしてのみ把握されるとする特段の事情は見いだし得ないものである。
　また、請求人は、請求人の代表兼デザイナーである酒井伸子氏が手掛けているシューズのブランド「Ｓａｌｏｎ（サロン）」が需要者・取引者の間で人気となっており、そのセカンドラインである「ＬＯＶＥ　ｂｙ　ｓａｌｏｎ」もまた注目され、多くの雑誌等で紹介されており、「ラブバイサロン」の称呼で相当程度認知されるに至っているものであるから、直営店、小売店、雑誌、サイトにおいて「ＬＯＶＥ　ｂｙ　ｓａｌｏｎ」のブランドに接する需要者・取引者は「ＬＯＶＥ」の文字部分を単独で認識するのではなく、欧文字部分の全体を一連に表示したものと認識する旨主張し、その根拠となる証拠として第１号証ないし第１７号証及び第２３号証ないし第３６号証を挙げる。
　そこで、請求人が提出した証拠を見ると、第１号証は、請求人の直営店の外観、店内の様子及び同店で販売している靴等を撮影した写真であり、靴の中底に金色で表された本願商標と類似の「ＬＯＶＥ　ｂｙ　ｓａｌｏｎ」の欧文字が表示されているのが確認できる。
　第２号証は、「ＦＬＡＧＳＨＯＰ／集英社」の見出しのウェブサイトであり、同ウェブサイトには、請求人のブランドである「ＳＡＬＯＮ」が常に注目の的であって、２００９年（平成２１年）春夏コレクションより、新たに「Ｌｏｖｅ　ｂｙ　ＳＡＬＯＮ」のブランドもスタートさせた旨が記載されている。
　第３号証ないし第１７号証及び第２３号証ないし第３４号証は、２００９年（平成２１年）２月から２０１０年（平成２２年）１月の間に販売された雑誌であり、その中には、請求人の各種商品（ベルト、ブーツ、ワンピース、バッグ、パンプス、サンダル、Ｔシャツ等）の紹介とともに、「ラブ　バイ　サロン」の片仮名文字、「ＬＯＶＥ　ＢＹ　ＳＡＬＯＮ」の欧文字、「ＬＯＶＥ　ｂｙ　ｓａｌｏｎ」の欧文字、「ＬＯＶＥ　ｂｙ　ＳＡＬＯＮ」の欧文字、「ラブ　ｂｙ　サロン」の文字が使用されている。なお、第１、４、６、８、１１、１４、１７、２４、２８ないし３４号証には、パンプス等の中底に、金色で表された本願商標と類似の「ＬＯＶＥ　ｂｙ　ｓａｌｏｎ」の欧文字が表示されているのが確認できる。
　第３５号証ないし第３６号証は、Ｇｏｏｇｌｅの検索サイトで、「ＬＯＶＥ　ｂｙ　Ｓａｌｏｎ」や「ラブ・バイ・サロン」の各文字で検索した結果が表されている。
　これらを総合すると、請求人は、遅くとも、２００９年（平成２１年）２月頃から「ＬＯＶＥ　ｂｙ　ｓａｌｏｎ」の欧文字からなるブランドの使用を開始し、当該ブランドを付したベルト、ブーツ、ワンピース、バッグ、パンプス、サンダル、Ｔシャツ等の商品を販売しており、これらのことが、ファッション関係の雑誌やインターネット上において紹介されてきたものである。
　しかしながら、請求人が「ＬＯＶＥ　ｂｙ　ｓａｌｏｎ」の標章を使用したのは２００９年（平成２１年）２月頃からであって、使用開始から１年６月程度しか経過していない。
　しかも、上記雑誌等における請求人の使用に係る標章の多くは、本願商標とは構成態様が異なる「ラブ　バイ　サロン」の片仮名文字、「ＬＯＶＥ　ＢＹ　ＳＡＬＯＮ」の欧文字、「ＬＯＶＥ　ｂｙ　ｓａｌｏｎ」の欧文字等が使用されているものであり、実際にパンプス等の中底に使用されてい標章も、本願商標の構成中、下段の「ラブ・バイ・サロン」の部分が無いなど本願商標とは構成態様が異なるものである。また、請求人の使用に係る標章を使用していると思われる商品も、本願商標の指定商品の一部の指定商品にすぎないものである。
　以上のとおりであるから、請求人の挙げる証拠によっては、本願商標が本願商標の指定商品の取引者、需要者間に出所識別標識として広く知られるに至ったと認めることはできない。
　また、請求人は、すでに本願商標の使用を開始し、現に本願商標を使用した商品を継続して販売しているが、引用商標との関係で商品の出所の混同が生ずるような事態は全く生じていない旨主張するが、請求人の主張は、本願商標と引用商標とに共通する一部の指定商品についての事情をいうものにすぎず、本願商標の指定商品全般について引用商標との間で出所の誤認混同を生ずるおそれがないとまで主張するものではない。
　さらに、請求人は、過去の登録例、審決例を挙げて、本願商標も引用商標とは非類似である旨主張しているが、請求人が挙げる過去の登録例、審決例は、対比する商標の構成態様等において本願とは異なるものであるばかりでなく、商標の類否の判断は、当該出願に係る商標と他人の登録商標との対比において、個別・具体的に判断すべきものであり、過去の登録例、審決例の判断に拘束されることなく検討されるべきものである。  
　したがって、これらの点についての請求人の主張は採用することができない。 
（３）まとめ  
　以上のとおりであるから、本願商標が商標法第４条第１項第１１号に該当するとして、本願を拒絶した原査定は、妥当なものであって、取り消すべき限りでない。  
　よって、結論のとおり審決する。